(57)【要約】【課題】主に下枠の排水を確実にする。【解決手段】扉枠の下枠１ｂの屋外側には折畳み扉を案内する案内溝６を形成し、案内溝６の屋内側には中間溝１７を介して収納溝１４を形成し、収納溝１４の内部にシール用部材１５を回動自在に支持し、シール用部材１５の突縁部２０をロック棒２４で押し下げたときにシール用部材１５が回動して折畳み扉の下部の屋内側面に当接して床面と折畳み扉とを連続させるようにした折畳み扉装置において、案内溝６と中間溝１７の下方に中空部２６を形成し、中間溝１７の溝底の方を案内溝６の溝底よりも高くして中間溝１７から屋外側に連通する第１の排水経路ａを形成し、収納溝１４の溝底の方を中空部２６の底部よりも高くして収納溝１４から屋外側に連通する第２の排水経路ｂを形成した。【選択図】図５
2006188908.tif 000002
【特許請求の範囲】
【請求項１】
扉枠と折畳み扉とを有し、上記扉枠の下枠上面を床面と略面一とし、上記扉枠の内側に折畳み扉を折畳み展開自在に収納し、上記下枠の屋外側には上記折畳み扉を案内する案内溝を形成し、この案内溝の屋内側には収納溝を形成し、この収納溝の内部に、上記収納溝の上方に突出可能なシール用部材を収納する一方、上記案内溝と収納溝との間には中間溝を形成し、上記シール用部材を収納溝と中間溝との隔壁の上端に回動自在に支持し、中間溝に突出したシール用部材の突縁部を上記扉枠に設けられたロック棒で押し下げたときにシール用部材が回動して収納溝から突出し、上記折畳み扉の下部の屋内側面に当接して上記床面と折畳み扉とを連続させるようにした折畳み扉装置において、
上記案内溝と中間溝の下方に中空部を形成し、この中空部の屋内側に上記収納溝の下部が隣り合うように形成し、かつ上記中間溝の溝底の方を案内溝の溝底よりも高くして中間溝から屋外側に連通する第１の排水経路を形成し、上記収納溝の溝底の方を中空部の底部よりも高くして上記収納溝から屋外側に連通する第２の排水経路を形成したことを特徴とする折畳み扉装置における扉枠の下枠構造。
【請求項２】
前記扉枠と折畳み扉とが、それぞれ金属部と合成樹脂部とから構成されていることを特徴とする、請求項１記載の折畳み扉装置における扉枠の下枠構造。
【発明の詳細な説明】
【技術分野】
【０００１】
本発明は、建物躯体に設けた扉枠の内側に配置された複数の扉体を回動自在に連結した折畳み扉を配置し、上記扉体を折り畳んで開扉させることにより上記扉枠のほぼ全体を開口することができる折畳み扉装置における扉枠の下枠構造に関するものである。
【背景技術】
【０００２】
一般に、折畳み扉は２つの扉体を継手框を介して回動自在に連結し、一方の自由端を建物開口部のガイドレールに沿って移動可能とすることによって構成される。扉体には把手が設けられ、上記把手を屋外又は屋内側に押し引きすることで折畳み扉を開閉することができる。閉扉時には全ての扉体が面一状に並び、開扉時には扉体が折畳み状態となる。
【０００３】
ところで、最近は老人や幼児などが建物の開口部を通って屋外のデッキやバルコニーに出、又はデッキやバルコニーから屋内に入るときに、段差や仕切りをなくし、移動しやすくするバリアフリー構造が採用される傾向が強い。このため、サッシの下枠の上面と屋内側の床面と屋外側のデッキ面やバルコニーの床面とを略面一に連続するように設計される例が多くなってきている。
【０００４】
ところが、このようなバリアフリー構造は、引き戸サッシの例がほとんどで、建物開口部に折畳み扉を設けた開閉構造にはバリアフリー構造はなかった。
【０００５】
その理由は、折畳み扉と扉枠の下枠との間の気密、水密が困難だからである。すなわち、扉枠の下枠の上面と屋内側の床面と屋外側のデッキ面やバルコニーの床面とを略面一に連続させる構造では、屋外側からの風雨が屋内に入り込むのを防止するのが難しいのである。
【０００６】
従来の折畳み扉の下枠は屋内側が高く、屋外側が低くなるように段差をつけた構造となっており、このように屋外側が低い構造では、開扉時に扉体が下枠から離れることになんの問題もない。また、閉扉時には扉枠の屋内側の面を下枠の段差面に当接させることにより、屋内外の気密や水密は容易に確保することができる。
【０００７】
このように、バリアフリー構造では、扉枠の下枠の上面は略水平状態となるように形成されるから、扉体と下枠との間には隙間がなければ扉体を折り畳むことができない。ところが、その逆に、隙間があると、折畳み扉と下枠との間の気密、水密を保持することができない、という問題が発生するのである。
【０００８】
その改善策としては、特願２００４−３０６７５０や特願２００４−２１６６６０に示されるように、開扉時には扉枠の下枠周辺の床面はフラットになるが、閉扉時には上記下枠と床面とをシールするシール用部材が突出するような構造が考えられる。
【特許文献１】特開２００３−１９３７５６公報
【発明の開示】
【発明が解決しようとする課題】
【０００９】
しかしながら、扉枠の下枠には開扉時にシール用部材を収納する収納溝やシール用部材を作動させるための作動棒が下方に移動したときにそれを受ける受け溝が必要になる。そのため、下枠の上方にはいくつかの溝が開口形成されるとともに、下枠の屋内側はシール用部材によってシールされて水密や気密が確保されているものの、上記下枠の排水処理は不十分であった。
【００１０】
本発明は上記問題点を解消し、バリアフリー構造においても下枠の排水を確実にすることができる折畳み扉装置における下枠構造を提供することをその課題とする。
【課題を解決するための手段】
【００１１】
前記課題を解決するため、請求項１に係る発明は、扉枠と折畳み扉とを有し、上記扉枠の下枠上面を床面と略面一とし、上記扉枠の内側に折畳み扉を折畳み展開自在に収納し、上記下枠の屋外側には上記折畳み扉を案内する案内溝を形成し、この案内溝の屋内側には収納溝を形成し、この収納溝の内部に、上記収納溝の上方に突出可能なシール用部材を収納する一方、上記案内溝と収納溝との間には中間溝を形成し、上記シール用部材を収納溝と中間溝との隔壁の上端に回動自在に支持し、中間溝に突出したシール用部材の突縁部を上記扉枠に設けられたロック棒で押し下げたときにシール用部材が回動して収納溝から突出し、上記折畳み扉の下部の屋内側面に当接して上記床面と折畳み扉とを連続させるようにした折畳み扉装置を対象とする。
【００１２】
そして、このような折畳み扉装置において、上記案内溝と中間溝の下方に中空部を形成し、この中空部の屋内側に上記収納溝の下部が隣り合うように形成し、かつ上記中間溝の溝底の方を案内溝の溝底よりも高くして中間溝から屋外側に連通する第１の排水経路を形成し、上記収納溝の溝底の方を中空部の底部よりも高くして上記収納溝から屋外側に連通する第２の排水経路を形成したことを特徴とする。
【００１３】
請求項２に係る発明は、前記扉枠と折畳み扉とが、それぞれ金属部と合成樹脂部とから構成されていることを特徴とする。
【発明の効果】
【００１４】
請求項１に係る発明によれば、扉枠の下枠のうち収納溝よりも屋内側はシール用部材によってシールされるが、折畳み扉や上記収納溝と中間溝との隔壁に付着した結露水が収納溝に流れ落ちてくる。また、案内溝と中間溝には折畳み扉と下枠との間の隙間から進入してきた雨水が入り込んでくる。
【００１５】
これに対し、中間溝から案内溝を経て屋外側に連通する第１の排水経路が形成され、また、収納溝から屋外側に連通する第２の排水経路が形成されているので、上記雨水は上記第１の排水経路から排水され、また結露水は上記第２の排水経路から排水される。したがって、下枠の収納溝や受け溝に結露水や雨水などが溜まることがなく、常に清潔に保持される。
【００１６】
請求項２に係る発明によれば、前記扉枠と折畳み扉とが、それぞれ金属部と合成樹脂部とから構成されているから、さらに屋内外の断熱を確保することができる。
【発明を実施するための最良の形態】
【００１７】
図1は折畳み扉装置を含むサッシの内観図、図２は図１のＸ−Ｘ線上の断面図、図３は図１のＹ−Ｙ線上の断面図であり、建物躯体の扉枠１の内側には左右一対の折畳み扉２、３が配置されている。
【００１８】
扉枠１と折畳み扉２、３は、図２、図３等に示すように、それぞれ屋外側の金属部ｐと屋内側の合成樹脂部ｑとからなる複合サッシであり、図３および図４に示されるように、閉扉時には面状に展開し、また開扉時には屋外側に折り畳まれるように構成されている。
【００１９】
扉枠１は、上枠１ａ、下枠１ｂ及び縦枠１ｃを方形に枠組みしてなり、図示しない建物躯体の扉開口部に固定されている。下枠１ｂの屋内側には室内の床面が、屋外側にはデッキやバルコニーの面がそれぞれほぼ面一に連続しているものとする。扉枠１の上枠１ａと下枠１ｂにはその屋外側の長手方向に沿って折畳み扉用の案内溝５、６が形成されている。
【００２０】
各折畳み扉２、３は、互いに離れた吊り元側の固定框７と互いに突合せ可能な戸先框８との間に２枚の扉体９を継手框１０を介して回動自在に連結してなるものである。扉体９の内側には二重ガラス１１が装着されている。固定框７と戸先框８の上部にはローラ金具１２が取り付けられ、ローラ金具１２を上記上枠１ａの案内溝５に転動自在に係合させることにより、固定框７と戸先框８のほか２枚の扉体９と継手框１０が吊り下げられている。また、下部には、下枠１ｂの案内溝６に沿って回転する回転ローラ１３が設けられている。
【００２１】
次に、上記下枠１ｂの案内溝６の屋内側に沿って収納溝１４が形成され、この収納溝１４の内部に、折畳み扉２、３に対応して２つのシール用部材１５が回動自在に収納されている。２つのシール用部材１５の長さは略収納溝１４の長さと同じである。収納溝１４の屋内側も合成樹脂部ｑによって覆われている。そして、合成樹脂部ｑの一部は延出され、下枠１ｂの屋内側の床面に固定するためのアングル片１６が形成されている。
【００２２】
下枠１ｂの案内溝６と収納溝１４との間には中間溝１７が形成され、図５に示されるように、両溝１４、１７の隔壁１８の上端には円形の膨突部が形成されている。
【００２３】
上記シール用部材１５は上記隔壁１８の上端に回動自在に支持されている。シール用部材１５は金属製押出し型材によって扇形ベース部１５ａの中心下部に係合凹部１９が、さらにその反対側に突縁部２０が形成されている。ベース部１５ａの外周側には断熱性を有する樹脂製カバー２１が取り付けられ、さらに上部には気密材２２が、下部にはクッション材２３が取り付けられている。
【００２４】
上記シール用部材１５の係合凹部１９は上記収納溝１４の隔壁１８上端に係合され、この係合部を中心に回動自在になっている。シール用部材１５は、通常は収納溝１４内に収納され、この状態では突縁部２０の先端は中間溝１７に略水平の状態で突出している。なお、突縁部２０の表面には色落ちを防ぐためのステンレスカバー（図示せず）を装着しておくのが好ましい。
【００２５】
図２および図５に示されるように、継手框１０の内側には外部から操作可能なロック棒２４が上下動可能に収納されている。このロック棒２４の下部は、屋外側のロック部２４ａと屋内側の作動棒２４ｂとの二股に分岐されている。ロック部２４ａは下枠１ｂの案内溝６の内部に挿入可能に配置され、作動棒２４ｂは中間溝１７に挿入可能に配置されている。
【００２６】
上記構成において、折畳み扉２、３を折り畳んで開扉したときは、図５に示されるように、シール用部材１５は収納溝１４の内部に納まっており、その上側の側面部の一部と気密材２２が屋内側に面している。折畳み扉９を展開して閉扉したときは、同図のように、各折畳み扉のロック棒２４を下げて屋外側のロック部２４ａを下枠１ｂの案内溝６の内部に挿入させる。これにより、折畳み扉２、３は折り畳むことができなくなる。同時に、作動棒２４ｂも下がり、下枠１ｂの中間溝１７に入り込んでシール用部材１５の突縁部２０に係合して押し下げるので、シール用部材１５は回動して収納溝１４の上方に突出し、気密材２２が折畳み扉２、３の下框９ｂの屋内側面に当接し、これにより、床面と折畳み扉とが連続し、シール用部材１５が折畳み扉と屋内側の床面との間の隙間を塞ぐことになるので、バリアフリー構造であっても、外部との気密や水密を確保することができる。
【００２７】
次に、上述のように、案内溝６と収納溝１４との間には中間溝１７が形成されているが、図５および図６に示されるように、案内溝６と中間溝１７の下方に中空部２６が形成されている。この中空部２６は、収納溝１４と中間溝１７との隔壁１８を介して収納溝１４と隣り合うように形成されている。また、上記中間溝１７の溝底の方が案内溝６の溝底よりも高く形成され、上記収納溝１４の溝底の方が中空部２６の底部よりも高く形成されている。さらに、中間溝１７と案内溝６の屋外側の側壁の下部には貫通孔２７、２８が形成され、受け溝の下部を屋内側から屋外側に向って低くなって中間溝１７から案内溝６を経て屋外側に連通する第１の排水経路ａが形成されている。同様に、収納溝１４と中空部２６との間の隔壁１８と中空部２６の屋外側の側壁の下部にも貫通孔２９、３０が形成され、収納溝１４から中空部２６を経て屋内側から屋外側に向って低くなって屋外側に連通する第２の排水経路ｂが形成されている。３２は排水弁である。
【００２８】
また、案内溝６と中間溝１７との間の隔壁１８の中間部から屋内側斜め下方に傾斜縁３１が張り出し形成されている。そして、図７に示されるように、中間溝１７の上端開口部の幅ｗ１を９〜１０ｍｍとし、傾斜縁３１の下端部における中間溝１７の幅ｗ２を５ｍｍ以下となるように設定されている。
【００２９】
上述の下枠構造によれば、扉枠１の下枠１ｂのうち収納溝１４よりも屋内側はシール用部材１５によってシールされるが、折畳み扉２、３や上記収納溝１４と中間溝１７との隔壁１８に付着した結露水が収納溝１４に流れ落ちてくる。案内溝６と中間溝１７には折畳み扉２、３と下枠１ｂとの間の隙間から進入してきた雨水が入り込んでくる。しかし、上記雨水は上記第１の排水経路ａから排水され、結露水は上記第２の排水経路ｂから排水されるので、下枠１ｂの収納溝１４や中間溝１７に結露水や雨水などが溜まることがなく、清潔に保持される。
【００３０】
また、中間溝１７の上端開口部の幅ｗ１を９〜１０ｍｍとしたので、ロック棒２４が有効に落ち込んで有効にシール用部材１５を回動させることができるとともに、子供が中間溝１７に誤って指を入れても容易に抜き出すことができる。また、傾斜縁３１の下端部における中間溝１７の幅ｗ２を５ｍｍ以下としたので、子供が中間溝１７に指を入れても、上記傾斜縁３１よりも下までは入れることができない。したがって、事故を未然に防止することができる。
【００３１】
なお、上記傾斜縁３１が上記隔壁１８から屋内側に張り出し、また傾斜縁３１により中間溝１７の溝幅が小さくなっているので、屋外から上記第１の排水経路ａを通って吹き込んでくる雨水などが傾斜縁３１の裏側に当って落ち、中間溝１７の上方に吹き上がるのを有効に防止することができる。
【００３２】
なお、断熱性を高めたサッシとしては、上述の扉枠と折畳み扉の例のように、屋外側に面する部分をアルミニウム等の金属の押出型材から、屋内側に面する部分を合成樹脂から構成したもののほか、扉枠と折畳み扉とをそれぞれ金属の押出型材からなる室内部材と室外部材とを合成樹脂製の断熱部材を介して連結した構成のものも知られている。上記扉枠の下枠構造は後者の折畳み扉装置にも適用することができる。また、上記扉枠の下枠構造は断熱サッシだけでなく、アルミニウム等の金属のみからなる金属サッシにも適用できるのはもちろんである。
【図面の簡単な説明】
【００３３】
【図１】折畳み扉装置に係るサッシの内観図である。
【図２】図１のＸ−Ｘ線上の断面図である。
【図３】図１のＹ−Ｙ線上の断面図である。
【図４】折畳み扉が開いた状態の横断面図である。
【図５】扉枠の下枠の拡大断面図である。
【図６】シール用部材が回動時の拡大断面図である。
【図７】図５の一部拡大図
【符号の説明】
【００３４】
ａ  第１の排水経路
ｂ  第２の排水経路
１ｂ  下枠
２、３  折畳み扉
６  案内溝
１４  収納溝
１５  シール用部材
１７  中間溝
２６  中空部
【図１】
2006188908.tif 000003
【図２】
2006188908.tif 000004
【図３】
2006188908.tif 000005
【図４】
2006188908.tif 000006
【図５】
2006188908.tif 000007
【図６】
2006188908.tif 000008
【図７】
2006188908.tif 000009
【手続補正書】
【提出日】平成17年1月18日(2005.1.18)
【手続補正１】
【補正対象書類名】特許請求の範囲
【補正対象項目名】全文
【補正方法】変更
【補正の内容】
【特許請求の範囲】
【請求項１】
扉枠と折畳み扉とを有し、上記扉枠の下枠上面を床面と略面一とし、上記扉枠の内側に折畳み扉を折畳み展開自在に収納し、上記下枠の屋外側には上記折畳み扉を案内する案内溝を形成し、この案内溝の屋内側には収納溝を形成し、この収納溝の内部に、上記収納溝の上方に突出可能なシール用部材を収納する一方、上記案内溝と収納溝との間には中間溝を形成し、上記シール用部材を収納溝と中間溝との隔壁の上端に回動自在に支持し、中間溝に突出したシール用部材の突縁部を上記折畳み扉に設けられたロック棒で押し下げたときにシール用部材が回動して収納溝から突出し、上記折畳み扉の下部の屋内側面に当接して上記床面と折畳み扉とを連続させるようにした折畳み扉装置において、
上記案内溝と中間溝の下方に中空部を形成し、この中空部の屋内側に上記収納溝の下部が隣り合うように形成し、かつ上記中間溝の溝底の方を案内溝の溝底よりも高くして中間溝から屋外側に連通する第１の排水経路を形成し、上記収納溝の溝底の方を中空部の底部よりも高くして上記収納溝から屋外側に連通する第２の排水経路を形成したことを特徴とする折畳み扉装置における扉枠の下枠構造。
【請求項２】
前記扉枠と折畳み扉とが、それぞれ金属部と合成樹脂部とから構成されていることを特徴とする、請求項１記載の折畳み扉装置における扉枠の下枠構造。
【手続補正２】
【補正対象書類名】明細書
【補正対象項目名】００１１
【補正方法】変更
【補正の内容】
【００１１】
前記課題を解決するため、請求項１に係る発明は、扉枠と折畳み扉とを有し、上記扉枠の下枠上面を床面と略面一とし、上記扉枠の内側に折畳み扉を折畳み展開自在に収納し、上記下枠の屋外側には上記折畳み扉を案内する案内溝を形成し、この案内溝の屋内側には収納溝を形成し、この収納溝の内部に、上記収納溝の上方に突出可能なシール用部材を収納する一方、上記案内溝と収納溝との間には中間溝を形成し、上記シール用部材を収納溝と中間溝との隔壁の上端に回動自在に支持し、中間溝に突出したシール用部材の突縁部を上記折畳み扉に設けられたロック棒で押し下げたときにシール用部材が回動して収納溝から突出し、上記折畳み扉の下部の屋内側面に当接して上記床面と折畳み扉とを連続させるようにした折畳み扉装置を対象とする。